(57)【要約】【課題】コレクターを備えた筆記具の製造に当たり、インク誘導芯への浸透によるインク液の目減りを解消し、インク室を可能な限り多くのインク液で満たす。【解決手段】コレクター５を備えた筆記具の製造工程において、軸筒１の開放端を上向きにしてインク室１ａに当該インク室１ａの容積を超える体積のインク液１６を充填する段階と、コレクター５の後端を、前記インク室１ａの上方にコレクター室１ｂ下部まで注がれているインク液１６に浸すようにして当該コレクター５を当該コレクター室１ｂまで挿入する段階とを含む。【選択図】　図１
2004034424.tif 000002
【特許請求の範囲】
【請求項１】
一端が開放端となり他端が閉鎖端となって中空に形成される軸筒と、
前記軸筒の内部空間の前記閉鎖端側に位置する部分として形成され、インク液を収納するインク室と、
前記軸筒の内部空間の前記開放端側に位置する部分として形成され、前記インク室と交通するコレクター室と、
前記軸筒の前記開放端から前記コレクター室内に、その後端が前記インク室の先端と接するように挿入されるとともに、その表面に、インク室内外の圧力差を緩衝するための緩衝溝を複数本有するコレクターと、
前記コレクターの軸心を貫通して前記インク室から筆記先端まで連絡し、該インク室から該筆記先端までインク液を浸透により誘導するインク浸透部とを有する筆記具の製造方法であって、
前記軸筒の開放端を上向きにして前記インク室に当該インク室の容積を超える体積のインク液を充填する段階と、
前記コレクターの後端を、前記インク室の上方にコレクター室下部まで注がれているインク液に浸すようにして当該コレクターを当該コレクター室まで挿入する段階と
を含んでなることを特徴とする筆記具の製造方法。
【請求項２】
前記インク室に充填されるインク液の体積をＸ、該インク室の容積をＡ及び前記インク浸透部の最大インク保留容積をＢとした場合、
Ａ＜Ｘ≦Ａ＋Ｂ
なる関係を満たすことを特徴とする請求項１記載の筆記具の製造方法。
【請求項３】
前記インク室に充填されるインク液には、筆記に適する濃度未満の着色がなされているとともに、
前記インク浸透部には、該インク液が筆記先端まで誘導される間に該インク液に拡散して着色する着色剤が含浸されていることを特徴とする請求項１又は２記載の筆記具の製造方法。
【請求項４】
前記インク室に充填されるインク液には着色剤が添加されていないことを特徴とする請求項１、２又は３記載の筆記具の製造方法。
【請求項５】
一端が開放端となり他端が閉鎖端となって中空に形成される軸筒と、
前記軸筒の内部空間の前記閉鎖端側に位置する部分として形成され、筆記に適する濃度未満の着色がなされているインク液を収納するインク室と、
前記軸筒の内部空間の前記開放端側に位置する部分として形成され、前記インク室と交通するコレクター室と、
前記軸筒の前記開放端から前記コレクター室内に、その後端が前記インク室の先端と接するように挿入されるとともに、その表面に、インク室内外の圧力差を緩衝するための緩衝溝を複数本有するコレクターと、
前記コレクターの軸心を貫通して前記インク室から筆記先端まで連絡し、該インク室から該筆記先端までインクを浸透により誘導するとともに、該インク液が該筆記先端まで誘導される間に該インク液に拡散して着色する着色剤が含浸されているインク浸透部とを有する筆記具であって、
前記インク室に充填されるインク液の体積をＸ、該インク室の容積をＡ及び前記インク浸透部の最大インク保留容積をＢとした場合、
Ａ＜Ｘ≦Ａ＋Ｂ
なる関係を満たすことを特徴とする筆記具。
【発明の詳細な説明】
【０００１】
【発明の属する技術分野】
本発明は、比較的低粘度で流動性に富むインク液を収容するとともに、外界との圧力差を緩衝して該インク液の飛散を防止する機能を有する筆記具及びその製造方法に関する。
【０００２】
【従来の技術】
従来、比較的低粘度で流動性に富むインク液を収容するとともに、外界との圧力差を緩衝して該インク液の飛散を防止する機能を有する筆記具は、種々提供されている。このようなインク液の飛散防止機能は、多くの場合、いわゆる「コレクター」によって実現されている。
【０００３】
コレクターとは、インク液を収容するインク室と、筆記先端との間に位置する緩衝部材であって、軸中心にインク液を先端まで浸透させて誘導するインク浸透部を収容するとともに、通常、周方向に多数の溝を有している。また、この周方向の溝を、筆記先端側からインク室の手前まで長手方向に貫通して外界と通じる溝、及び、インク室側から筆記先端の手前まで長手方向に貫通してインク室と通じる溝も設けられている。すなわち、インク室と外界とは、コレクター表面の溝を介して交通している。そして、たとえば、この筆記具の周囲の気圧が急激に低下したり、また、気温が上昇した場合に、インク室からあふれ出るインク液はコレクター周囲の溝に取り込まれ、直接筆記先端から噴出したりすることが防止されることとなっている。さらに、消費されたインク液の体積に相当する空気が、このコレクター周囲の溝を介してインク室へ導かれることともなっている。
【０００４】
ところで、特開平２００１−２６０５８６号には、インク液と、このインク液に着色するための着色剤の主体とが分離して収納され、前記インク液が筆記先端へ誘導される途中で、前記着色剤がインク液に添加されるように形成されていることを特徴とする筆記具が開示されている。このような筆記具においても、上述のコレクターが採用されており、そのインク浸透部に着色剤が含浸されることとなっている。
【０００５】
【発明が解決しようとする課題】
上述のようなコレクターを備えた筆記具では、通常、軸筒の内部空間が直にインク室となっている。そして、このような筆記具の製造工程においては、このインク室にインク液を充填した後、コレクターを軸筒先端から挿入して、充填されたインク液の上面に接触させて、コレクター内のインク浸透部にインク液を浸透させることとなっている。
【０００６】
したがって、インク室内に充填しておくインク液の体積を、インク室の容積と同じにしても、インク浸透部に浸透する分が目減りして、製品のインク室内のインク液量が少なく見え、需用者にその目減りした分だけ損をしたように感じさせることで、購買意欲の低下を来すことも想定されていた。
特に、前記従来技術に示すような筆記具では、その機能を発揮させるためにインク浸透部のインク保有量が大きくならざるを得ないため、上述の目減りの問題はより深刻となることが考えられる。
【０００７】
そこで、本発明は、上述のような筆記具の製造に当たり、インク浸透部への浸透によるインク液の目減りを解消し、インク室を可能な限り多くのインク液で満たすことを目的とする。
また、本発明は、上述の目的に加え、充填するインク量を最適化することをも目的とする。
【０００８】
さらに、本発明は、上述の目的に加え、未着色又は微着色のインク液がインク浸透部へ浸透する間に着色されるように形成される筆記具において上述の課題が解消されることをも目的とする。
また、本発明は、インク浸透部への浸透によるインク液の目減りを解消し、インク室が可能な限り多くのインク液で満たされた筆記具を提供することをも目的とする。
【０００９】
【課題を解決するための手段】
上記の課題に鑑み、本発明は、一端が開放端となり他端が閉鎖端となって中空に形成される軸筒１と、前記軸筒１の内部空間の前記閉鎖端側に位置する部分として形成され、インク液１６を収納するインク室１ａと、前記軸筒１の内部空間の前記開放端側に位置する部分として形成され、前記インク室１ａと交通するコレクター室１ｂと、前記軸筒１の前記開放端から前記コレクター室１ｂ内に、その後端が前記インク室１ａの先端と接するように挿入されるとともに、その表面に、インク室１ａ内外の圧力差を緩衝するための緩衝溝を複数本有するコレクター５と、前記コレクター５の軸心を貫通して前記インク室１ａから筆記先端１０まで連絡し、該インク室１ａから該筆記先端１０までインク液１６を浸透により誘導するインク浸透部１９とを有する筆記具の製造方法であって、前記軸筒１の開放端を上向きにして前記インク室１ａに当該インク室１ａの容積を超える体積のインク液１６を充填する段階と、前記コレクター５の後端を、前記インク室１ａの上方にコレクター室１ｂ下部まで注がれているインク液１６に浸すようにして当該コレクター５を当該コレクター室１ｂまで挿入する段階とを含んでなることを特徴とする。
【００１０】
すなわち、インク液１６を充填する段階において、インク室１ａの容積を超える体積のインク液１６が充填されることで、充填されたインク液１６の上面は、軸筒１の開放端を上向きにした状態で、インク室１ａとコレクター室１ｂとの境界を超え、コレクター室１ｂの下部まで溢れた状態となる。
この状態において、コレクター５が軸筒１の開放端から挿入される。この際に、コレクター５後端が充填されたインク液１６の上面と接することとなるが、このとき、コレクター室１ｂまで溢れた分のインク液１６はインク浸透部１９に浸透されることとなる。これにより、インク室１ａにおけるインク液１６の見かけ上の目減りは解消されることとなる。
【００１１】
また、この際、インク液１６がコレクター５後端部分に設けられる溝を一時的に濡らすこととなるが、この濡れの分は、インク浸透部１９へのインク液１６の浸透に伴ってインク室１ａへ戻ることで程なく解消されることとなる。これにより、コレクター５表面の溝のインク液１６に対する濡れ性がよくなり、コレクター５の緩衝機能がより発揮されやすくなっている。
【００１２】
また、上述のような構成においては、前記インク室１ａに充填されるインク液１６の体積をＸ、該インク室１ａの容積をＡ及び前記インク浸透部１９の最大インク保留容積をＢとした場合、
Ａ＜Ｘ≦Ａ＋Ｂ
なる関係を満たすことが望ましい。
【００１３】
すなわち、充填されるインク液１６の体積がインク室１ａの容積を超えるべきことは、上述の構成から必然的に導かれる。
また、充填されるインク液１６の体積が、インク室１ａの容積とインク浸透部１９の最大インク保留容積との和以下であるべきことの根拠は、以下の通りである。すなわち、インク液１６の体積がこの和を超えると、超えた分のインク液１６はコレクター５表面の溝を濡らさざるを得ない。そして、この溝を濡らした分は、インク浸透部１９へのインク液１６の浸透によってもインク室１ａ内に戻るべき空間が存在しないため、そのままコレクター５表面に留まることとなる。かくして、この留まった分のインク液１６は筆記具の外観を損なうこととなる。このようになることを避けるべく、充填されるインク液１６の体積の上限は、上述の通りとなることが望ましい。
【００１４】
また、上述のような構成においては、前記インク室１ａに充填されるインク液１６には、筆記に適する濃度未満の着色がなされているとともに、前記インク浸透部１９には、該インク液１６が筆記先端１０まで誘導される間に該インク液１６に拡散して着色する着色剤が含浸されていることが望ましい。さらに、前記インク室１ａに充填されるインク液１６には着色剤が添加されていないことがより望ましい。
【００１５】
この構成により、未着色又は微着色のインク液１６がインク浸透部１９へ浸透する間に着色されるように形成される筆記具においては、インク浸透部１９の最大インク保留容積が大きくならざるを得ないところ、それにもかかわらず上述の課題が解消されることとなっている。
また、上述の課題に鑑み、本発明は、一端が開放端となり他端が閉鎖端となって中空に形成される軸筒１と、前記軸筒１の内部空間の前記閉鎖端側に位置する部分として形成され、筆記に適する濃度未満の着色がなされているインク液１６を収納するインク室１ａと、前記軸筒１の内部空間の前記開放端側に位置する部分として形成され、前記インク室１ａと交通するコレクター室１ｂと、前記軸筒１の前記開放端から前記コレクター室１ｂ内に、その後端が前記インク室１ａの先端と接するように挿入されるとともに、その表面に、インク室１ａ内外の圧力差を緩衝するための緩衝溝を複数本有するコレクター５と、前記コレクター５の軸心を貫通して前記インク室１ａから筆記先端１０まで連絡し、該インク室１ａから該筆記先端１０までインクを浸透により誘導するとともに、該インク液１６が該筆記先端１０まで誘導される間に該インク液１６に拡散して着色する着色剤が含浸されているインク浸透部１９とを有する筆記具であって、前記インク室１ａに充填されるインク液１６の体積をＸ、該インク室１ａの容積をＡ及び前記インク浸透部１９の最大インク保留容積をＢとした場合、
Ａ＜Ｘ≦Ａ＋Ｂ
なる関係を満たすことを特徴とする。
【００１６】
なお、インク液１６について、「筆記に適する濃度未満の着色」とは、インク液１６への着色濃度が、紙面等への筆記には十分ではないが、インク室１ａに充填されている状態で着色されていることが認められる程度の濃度をいう。また、この「筆記に適する濃度未満の着色」には、全く着色がされないことも含む。
上述の構成により、インク浸透部１９への浸透によるインク液１６の目減りを解消し、インク室１ａが可能な限り多くのインク液１６で満たされた筆記具が提供されることとなっている。
【００１７】
【発明の実施の形態】
本発明の１の実施の形態を、図面を参照しつつ以下に説明する。
（１）筆記具の構造
本実施の形態に係る筆記具は、図３から図５までに示すような構造を有する。なお、図３は、本実施例の筆記具全体の正面断面図である。また、図４は、この筆記具の要部正面断面図である。さらに、図５は、図４のＡ−Ａ線断面図である。ここで、以下の説明においては、筆記具として用いられる際に筆記先端１０に近い方を「先端側」又は「先端方向」とし、また、紙面から遠い方を「後端側」又は「後端方向」とする。
【００１８】
図３及び図４に示すように、本実施の形態に係る筆記具は、円筒状の軸筒１を備え、この軸筒１内部の後端部分には、インク液１６を収納するためのインク室１ａが設けられている。また、この軸筒１内部の先端部分となるコレクター室１ｂ（図１参照）には、インク室１ａの圧力変化によるインク液１６の筆記先端１０からの漏れ出しを防止するためのコレクター５が挿入されている。
【００１９】
また、前記軸筒１は、ポリプロピレンを材料として全体が無色透明に形成され、これにより軸筒１の外部から内部を視認可能となっている。
上述したコレクター５は、ＡＢＳを材料として全体が無色透明に形成されている。さらに、図３から図５までに示すように、コレクター５の外周には、コレクター５後端から同先端へ向けて形成されている液体誘導溝７と、コレクター５先端から同後願側へ向けて形成されている空気置換溝８（空気孔４を介して外界と通じている）と、これらの液体置換溝及び空気置換溝８の双方と交わるように形成されている多数の液体保留溝６とが設けられている。これらの溝は、インク室１ａ内外の圧力差を緩衝するための緩衝溝として機能することとなっている。
【００２０】
また、コレクター５の軸中心には、後端から先端まで貫通する断面円形の貫通孔が設けられている。この貫通孔の軸方向ほぼ中間部分に、内径が縮小されている状態の規制部９が設けられている。そしてこの規制部９の先端側には、着色剤添加芯１３が挿入される。この着色剤添加芯１３は、ポリエステル製の繊維をポリウレタン樹脂によって固形化した繊維束体によって、円柱棒状に形成されている。この着色剤添加芯１３には、後述の各実施例又は各比較例に示す着色剤が含浸される。そして、含浸後十分乾燥させた状態で、上記のようにコレクター５に挿入される。
【００２１】
一方、この規制部９の後端側には後方から着色剤吸着芯１４が挿入され、さらにこの着色剤吸着芯１４を固定する状態でコレクター５の後端にコレクター用芯１５が挿入固定されている。この着色剤吸着芯１４は、活性炭、繊維及びバインダーから成り、活性炭を繊維に保持させた形状の成型体として、円柱棒状に成型されたもので、着色剤を拡散途中で捕捉及び吸着する機能を有する。また、このコレクター用芯１５は、ポリエステル性の繊維をポリウレタン樹脂によって固形化した繊維束体によって形成され、着色剤吸着芯１４を固定するとともに、その後端部分はインク室１ａ内に位置することとなり、これにより、インク室１ａからインク液１６を着色剤吸着芯１４へ誘導する機能を有する。
【００２２】
そして、着色剤添加芯１３と着色剤吸着芯１４とは、規制部９で接触している。
一方、筆記具の先端部分を構成する継ぎ手３の先端には、口先部２が固着され、さらにこの口先部２には筆記先端１０が固定される。また、この継ぎ手３の後端からは、ステンレス鋼製の筆記先端１０の内径とほぼ同一の外径を有する、ポリエステル製の繊維をポリウレタン樹脂によって固形化した繊維束体により形成されたインク誘導芯１２が、超硬合金製の先端ボール１１近傍まで挿入される。そしてこの継ぎ手３は、軸筒１先端に固着され、それによりインク誘導芯１２の後端は着色剤添加芯１３の先端と接触することとなる。
【００２３】
さらに、軸筒１の後端には尾栓１８が装着されるとともに、先端には、別体に形成されたキャップ１７がかぶせられることとなっている
すなわち、インク液１６は、インク室１ａ内においては無色透明である。そしてインク液１６は、インク室１ａからコレクター用芯１５、着色剤吸着芯１４に順に浸透して先端方向へ誘導される。さらに着色剤添加芯１３まで誘導されたところで含浸されている着色剤がインク液１６に移行して、これによりインク液１６は筆記可能な濃度にまで着色されることとなる。そして着色されたインク液１６はインク誘導芯１２を浸透してさらに先端へ進んで先端ボール１１を介して紙面へ塗布されるに至る。すなわち、インク誘導芯１２、着色剤添加芯１３、着色剤吸着芯１４及びコレクター用芯１５はインク浸透部１９を構成することとなっている。
【００２４】
（２）筆記具の製造工程
次に、本実施の形態に係る筆記具の製造工程の一部を、図１及び図２を参照しつつ説明する。
まず、開放端を上向きにした状態で、インク液１６が軸筒１内部へ充填される。このとき充填されるインク液１６の量は、図１Ａに示すように、インク液１６の上端が、インク室１ａとされる部分の上端を超え、コレクター室１ｂにまで及ぶ程度である。
【００２５】
次に、図１Ｂに示すように、軸筒１の開放端から、筆記先端１０が装着されたコレクター５がコレクター室１ｂ内へ挿入される。
コレクター５がコレクター室１ｂ内へ挿入された直後は、図２Ａに示すように、インク室１ａから溢れたインク液１６が、コレクター５後半部分の表面を濡らしている。しかし、その後、インク液１６がコレクター用芯１５を通じてインク浸透部１９へ吸収されることによって、コレクター５後半部分の表面を濡らしたインク液１６はインク室１ａまで下がり、図２Ｂに示すように、コレクター５表面にインク液１６は存在しないこととなる。
【００２６】
ここで、図２Ａに示すように、コレクター５表面の一部をあらかじめインク液１６で濡らすことによって、コレクター５表面のインク液１６に対する濡れ性がよくなり、インク室１ａ内外の圧力差の調整及びインク室１ａ内への空気の導入が円滑に行われることとなっている。
【００２７】
【実施例】
以下、本発明の実施例を、比較例との対比において説明する。
（１）インク液１６及び着色剤
本実施例及び各比較例において使用されたインク液１６は、下記の表１に示すような組成を有するものであり、外観上無色透明であった。
【００２８】
【表１】
2004034424.tif 000003
【００２９】
また、本実施例及び各比較例において使用された着色剤は、８０重量％のエタノール中にスピロンレッドＣ−ＧＨ（商品名、保土ヶ谷化学工業）を２０重量％含有させたものであり、これを着色剤添加芯１３に含浸させて十分乾燥させてから、コレクター５内に挿入して用いた。
（２）インク液１６の体積
本実施例及び各比較例においては、インク室１ａ容積は１．５ｍｌ、インク浸透部１９の最大インク保留容積は０．３ｍｌであった。
【００３０】
また、充填されるインク液１６の体積は、実施例においては１．８ｍｌ、比較例１においては１．５ｍｌ、及び比較例２においては２．１ｍｌであった。
（３）評価項目
上述の組成及び量のインク液１６並びに上述の組成の着色剤を用いて、前記実施の形態で示したような筆記具を組み立てた。この筆記具について、以下の項目を評価した。
【００３１】
（３−１）外観上のインク量
筆記具を組み立てて３０分後に、インク室１ａ内のインク量を、インク室１ａ内に認められる空気量を勘案して外観に基づいて判定した。たとえば、インク室１ａ内に空気が全く認められない場合には、インク量は「１．５ｍｌ」と判定される。
（３−２）インク吐出性
被検者に組み立てた筆記具を用いて実際に筆記させる官能試験によって、インク吐出性を評価した。具体的には、非常に快適に筆記ができたものを「優秀」、普通に筆記するには十分なものを「良好」、描線のかすれが認められたものを「不良」とした。
【００３２】
（３−３）インクボタ落ち
組み立てられたペン体を、キャップを締めた状態で、５０℃に保った恒温恒湿器（ＳＥ−１４ＣＲＡＬ、株式会社カトー製）内に１週間、筆記先端１０を下向きに放置した後、室温に戻して１時間後にキャップを取り外し、筆記先端１０からのインクのボタ落ちを確認した。具体的には、ボタ落ちのなかったものを「良好」、あったものを「不良」とした。
【００３３】
（３−４）コレクター外観
筆記具を組み立てて３０分後に、コレクター５表面にインク液１６の浸潤が認められたか否かによって評価がなされた。具体的には、浸潤の認められなかったものを「良好」、認められたものを「不良」とした。
（４）評価結果
上述の評価の結果を下記の表２に示す。
【００３４】
【表２】
2004034424.tif 000004
【００３５】
まず、充填したインク液１６の体積がインク室１ａ容積とインク浸透部１９の最大インク保留容積との和に等しかった実施例１は、充填したインク液１６の体積がインク室１ａ容積と等しかった比較例１に対して、コレクター外観を除くすべての評価項目で優れた成績を残した。すなわち、比較例１では、インク浸透部１９に吸収された分だけ外観上のインク量が減少するため、インク室１ａの外観を損ねることとなった。また、インク吐出性及びインクボタ落ちに関しては、あらかじめコレクター５表面がインク液１６に濡れていたことにより、実施例は比較例１よりも、インク液１６と空気との交換が円滑に行われていたため、優れた結果を示したものと推察される。
【００３６】
一方、実施例は、充填したインク液１６の体積がインク室１ａ容積とインク浸透部１９の最大インク保留容積との和を超えていた比較例２に対しては、コレクター外観を除くすべての評価項目において評価が変わらなかった。これは、コレクター５表面がインク液１６であらかじめ濡れているという観点では両者に差はないためであったと推察される。しかし、コレクター外観においては、インク浸透部１９へ浸透しきれなかったインク液１６がコレクター５表面に浸透した状態が解消されないため、比較例２は実施例より外観が劣ることとなった。
【００３７】
上記の評価を総合すると、適切なインク液１６の体積Ｘは、インク室１ａ容積をＡ、インク浸透部１９の最大インク保留容積をＢとした場合、
Ａ＜Ｘ≦Ａ＋Ｂ
なる関係を満たす範囲内であるとの結論に達した。
【００３８】
【発明の効果】
本発明は、上記の通り構成されているので、以下に記す効果を奏する。
すなわち、本発明により、比較的低粘度で流動性に富むインク液を収容するとともに、外界との圧力差を緩衝して該インク液の飛散を防止する機能を有する、いわゆるコレクターを備えた筆記具の製造に当たり、インク浸透部への浸透によるインク液の目減りを解消し、インク室を可能な限り多くのインク液で満たすことが可能となる。
【００３９】
また、本発明により、上述の効果に加え、充填するインク量を最適化することも可能となる。
さらに、本発明により、上述の効果に加え、未着色又は微着色のインク液がインク浸透部へ浸透する間に着色されるように形成される筆記具において上述の課題が解消されることも可能となる。
【００４０】
また、本発明により、インク浸透部への浸透によるインク液の目減りを解消し、インク室が可能な限り多くのインク液で満たされた筆記具を提供することも可能となる。
【図面の簡単な説明】
【図１】本発明の１の実施の形態に係る筆記具の製造工程の一部を正面図で示したものである。なお、軸筒は断面で示してある。
【図２】本発明の１の実施の形態に係る筆記具の製造工程の一部を正面図で示したものである。なお、軸筒は断面で示してある。
【図３】本発明の１の実施の形態に係る筆記具全体を正面断面図で示したものである。
【図４】本発明の１の実施の形態に係る筆記具の要部を正面断面図で示したものである。
【図５】図４に示す筆記具を、Ａ−Ａ線における断面図で示したものである。
【符号の説明】
１　　軸筒
１ａ　インク室　　　　　　　１ｂ　コレクター室
２　　口先部　　　　　　　　　３　継ぎ手
４　　空気孔　　　　　　　　　５　コレクター
６　　液体保留溝　　　　　　　７　液体誘導溝
８　　空気置換溝　　　　　　　９　規制部
１０　筆記先端　　　　　　　１１　先端ボール
１２　インク誘導芯　　　　　１３　着色剤添加芯
１４　着色剤吸着芯　　　　　１５　コレクター用芯
１６　インク液　　　　　　　１７　キャップ
１８　尾栓　　　　　　　　　１９　インク浸透部
【図１】
2004034424.tif 000005
【図２】
2004034424.tif 000006
【図３】
2004034424.tif 000007
【図４】
2004034424.tif 000008
【図５】
2004034424.tif 000009